(57)【要約】【課題】カラー原稿と白黒原稿とが混在している場合でも、白黒原稿の読取時間を短縮するとともに、カラー原稿の読取を高精度で行える画像読取装置および画像読取方法を提供する。【解決手段】原稿画像を搬送させながら読み取る第１読取モードと、上記原稿画像を静止させた状態で読み取る第２読取モードとの少なくとも一方で原稿画像を読み取るり、まず上記原稿画像を上記第１読取モードで読み取り、読み取られた画像情報を解析して、原稿画像に有彩色が含まれているか否かを判断するそして、原稿画像に有彩色が含まれていると判断された場合には、上記原稿画像をさらに第２読取モードで読み取る一方、原稿画像に有彩色が含まれていないと判断された場合には、上記第１読取モードにて読み取った画像情報を出力する。【選択図】　図１
2004032327.tif 000002
【特許請求の範囲】
【請求項１】
原稿画像を搬送させながら読み取る第１読取モードと、
上記原稿画像を静止させた状態で読み取る第２読取モードとの少なくとも一方で原稿画像を読み取ることができる画像読取方法において、
上記原稿画像を上記第１読取モードで読み取る読取工程と、
上記読取工程にて読み取られた画像情報を解析することにより、原稿画像に有彩色が含まれているか否かを判断する検出工程とを含み、
上記原稿画像に有彩色が含まれていると判断された場合には、上記原稿画像を第２読取モードで読み取る一方、
原稿画像に有彩色が含まれていないと判断された場合には、上記第１読取モードにて読み取られた画像情報を出力することを特徴とする画像読取方法。
【請求項２】
上記第１読取モードでの原稿画像の読み取り中に、原稿画像に有彩色が含まれていると判断された場合には、該第１読取モードを中止するとともに、第２読取モードによる読み取りの準備動作を開始することを特徴とする請求項１記載の画像読取方法。
【請求項３】
上記準備動作は、原稿画像を読み取る読取手段を、上記第２読取モードにおける読み取り開始位置に移動させることを含むことを特徴とする請求項２記載の画像読取方法。
【請求項４】
上記準備動作は、原稿画像を第２読取モードで読み取るために必要な光の強度となるように、照明手段を点灯させることを含むことを特徴とする請求項２記載の画像読取方法。
【請求項５】
上記第２読取モードでの原稿画像の読み取り方向が、上記第１読取モードにおける原稿画像の読み取り方向と同じ方向となるように、原稿画像の読み取りを行うことを特徴とする請求項１または２記載の画像読取方法。
【請求項６】
上記第２読取モードでの原稿画像の読み取りでは、原稿画像を第２読取モードにおける読み取り位置まで搬送した後、上記原稿画像の搬送方向と同一の方向に、原稿画像を読み取る読取手段を走査させることを特徴とする請求項１または２記載の画像読取方法。
【請求項７】
上記第１読取モードで原稿画像を読み取り、さらに第２読取モードでも該原稿画像を読み取った場合には第２読取モードで読み取った画像情報のみを出力することを特徴とする第１項記載の画像読取方法。
【請求項８】
原稿画像を搬送させながら読み取る第１読取モードと、原稿画像を静止させた状態で読み取る第２読取モードとの少なくとも一方で原稿画像を読み取ることができる読取手段を備えた画像読取装置において、
読み取られた画像情報を解析することにより、原稿画像に有彩色が含まれているか否かを判断する検出手段と、
読み取られた画像情報を出力する出力手段と、
上記検出手段、読取手段および出力手段を制御する制御手段とを備えており、上記制御手段は、上記第１読取モードでの原稿画像の読み取りにて、上記検出手段が原稿画像に有彩色が含まれていると判断した場合には、上記原稿画像を第２読取モードで読み取るように上記読取手段を制御する一方、
上記検出手段が原稿画像に有彩色が含まれていないと判断した場合には、上記第１読取モードにて読み取った画像情報を出力するように上記出力手段を制御するようになっていることを特徴とする画像読取装置。
【請求項９】
上記読取手段は、原稿画像をＲ、Ｇ、Ｂの色成分に分解して読み取ることができるとともに、
上記制御部は、読み取られた画像情報を無彩色として出力する場合には、少なくとも１つの色成分の画像情報を選択して、出力するようになっていることを特徴とする請求項８記載の画像読取装置。
【請求項１０】
上記読取手段は、原稿画像をライン毎に読み取ることができるとともに、
さらに、読み取られたライン順の画像情報と逆のライン順の画像情報を出力する画像反転手段を備えていることを特徴とする請求項８記載の画像読取装置。
【請求項１１】
上記読取手段は原稿画像に光を照明する照明手段を備えており、
上記制御手段は、第２読取モードで原稿画像を読み取る場合に比べて、第１読取モードで原稿画像を読み取る場合の方が、原稿画像に照射する光の強度を小さくするように照明手段を制御するようになっていることを特徴とする請求項８記載の画像読取装置。
【発明の詳細な説明】
【０００１】
【発明の属する技術分野】
本発明は、原稿画像を読み取る画像読取装置および画像読取方法に関するものであり、特に、カラー画像と白黒画像との両方を好適に読み取ることができる画像読取装置および画像読取方法に関するものである。
【０００２】
【従来の技術】
近年、シート状の原稿を自動的に搬送して、該原稿を順次読み取る画像読取装置が広く用いられている。そして、該画像読取装置を画像形成装置などにセットすることにより、効率的な画像読み取りや画像形成が行なわれている。
【０００３】
さらに、最近ではデジタル技術が進歩し、原稿を電子データへ変換する変換速度の向上や、電子データからの画像形成の速度が速くなってきている。そして、より多くの枚数の、原稿の読取処理を高速に行うことができるように、これらの画像読取装置では一度にセットできる原稿の枚数が非常に多くなってきている。また、原稿読取装置の読取性能の向上や原稿搬送技術の進歩にともない、読み取ることができる原稿の種類も多様化してきている。
【０００４】
ところが、原稿を搬送させながら読み取りを行う画像読取装置において、特に原稿を搬送する搬送路が屈曲部を有する場合には、搬送される原稿が屈曲部を搬送されるときに大きな抵抗を受け、原稿搬送速度が不安定となり易くなる。また、原稿が読取ポイントに向う手前で原稿の後端が屈曲部から抜け出したときに発生する負荷変動やショックにより、原稿の搬送速度に瞬間的な変動を来たして、読取不良が起こりやすいという問題が発生する。この読取不良は、原稿が白黒の場合の白黒読取に比べて、色付き原稿を読み取るカラー読取の方が、大きな問題となり、色ずれ等により読取データの品質が著しく低下してしまう。
【０００５】
上記問題を解決する画像読取技術としては、例えば、特開２００１−１５６９９８号公報および特開平９−２９８６４１号公報が開示されている技術がある。
【０００６】
すなわち、上記特開２００１−１５６９９８号公報に開示の画像読取装置では、白黒原稿の読取モードでは原稿を搬送しながら読み取る一方で、カラー原稿の読取モードでは原稿を静止させた状態で読取手段を走査させることにより、上記問題を解決している。
【０００７】
また、特開平９−２９８６４１号公報に開示の画像読取装置では、白黒原稿とカラー原稿とを自動的に判断して、それぞれの原稿を静止させた状態で読み取ることにより、上記問題を解決している。
【０００８】
【発明が解決しようとする課題】
しかしながら、上記従来の画像読取装置では、カラー原稿と白黒原稿とが混在している場合でも、一般に画像読取の頻度が高い白黒原稿の読取時間を短縮することができるとともに、カラーの原稿画像の読取を高精度で行うことができないという問題がある。
【０００９】
具体的には、特開２００１−１５６９９８号公報の構成では、カラー原稿を読み取るカラーモードと白黒原稿を読み取る白黒モードと、すなわち、原稿を搬送させながら読み取りを行う白黒モードと原稿を静止させた状態で読み取るカラーモードとの両モードの選択切換えは、使用者が行わなければならず、両モードの切換えを忘れる場合やカラー原稿と白黒原稿とが混在する場合には、同時に読取処理ができずに別々の読取処理をしなければならない。
【００１０】
一方、特開平特開平９−２９８６４１の構成では、自動的に原稿を判断することができるが、原稿の読取時間が遅い。すなわち、上記公報に開示の画像読取装置では、カラー原稿か白黒原稿かを仮読取により判断して、それぞれに適した原稿の読取を行うようになっている。しかしながら、仮読取を行わなければならず、しかも、カラー原稿および白黒原稿を静止した状態で読み取るようになっているので、原稿を読み取る時間が遅い。
【００１１】
本発明は、かかる問題に鑑みてなされたものであり、その目的は、カラー原稿（有彩色原稿）と白黒原稿（無彩色原稿）とが混在している場合でも、一般に画像読取の頻度が高い白黒原稿の読取時間をより一層短縮することができるとともに、カラー原稿の読み取りを高精度で行うことができる画像読取装置および画像読取方法を提供することにある。
【００１２】
【課題を解決するための手段】
本発明の画像読取方法は、上記の課題を解決するために、原稿画像を搬送させながら読み取る第１読取モードと、上記原稿画像を静止させた状態で読み取る第２読取モードとの少なくとも一方で原稿画像を読み取ることができる画像読取方法において、上記原稿画像を上記第１読取モードで読み取る読取工程と、上記読取工程にて読み取られた画像情報を解析することにより、原稿画像に有彩色が含まれているか否かを判断する検出工程とを含み、上記原稿画像に有彩色が含まれていると判断された場合には、上記原稿画像を第２読取モードで読み取る一方、原稿画像に有彩色が含まれていないと判断された場合には、上記第１読取モードにて読み取られた画像情報を出力することを特徴としている。
【００１３】
上記検出工程では、原稿画像（以下、原稿と称する）に有彩色が含まれているか否かを検出している。具体的には、読み取られた画像情報を解析することにより、読み取った原稿に有彩色が含まれているか否かを判断する。このとき、上記検出工程では、原稿を完全に読み取った後で、該原稿に有彩色が含まれているか否かを判断してもよく、原稿の読み取った部分、すなわち、原稿を読み取りながら、読み取られた原稿の部分に有彩色が含まれているか否かを判断してもよい。つまり、検出工程は、少なくとも原稿の一部が読み取られた時点で開始してもよく、原稿が完全に読み取られた時点で開始してもよい。
【００１４】
上記の構成によれば、本発明の画像読取方法では、原稿に有彩色が含まれているか否か、すなわち、読み取る原稿がカラーであるか白黒であるかを判断（解析）することができる。そして、読み取られた原稿がカラー（以下、カラー原稿と称する）である場合、すなわち、読み取られた画像情報を解析することにより原稿に有彩色が含まれていることが検出（判断）された場合には、上記第２読取モードの読み取り位置まで原稿を移動させた後、第２読取モードで再度、原稿の読み取りを行うようになっている。つまり、カラー原稿の場合には、静止させた状態で原稿を読み取るので、高精度に原稿を読み取ることができる。
【００１５】
また、読み取られた原稿が白黒（以下、白黒原稿と称する）である場合、すなわち、読み取られた画像情報を解析することにより原稿に有彩色が含まれていないと判断された場合には、上記第１読取モードで読み取った画像情報を出力するようになっている。つまり、白黒原稿の場合には、最初に行う第１読取モードによって読み取られた画像情報を、そのまま出力するので、従来と比べて、読取時間を短縮することができる。
【００１６】
また、本発明の画像読取方法では、原稿に有彩色が含まれているか否かを自動的に判断するようになっている。従って、カラー原稿と白黒原稿とが混在している場合であっても、原稿の読み取りを、間違うことなく行うことができる。
【００１７】
以上により、例えば、カラー原稿と白黒原稿とが混在している場合でも、一般に読み取る割合の多い白黒原稿の読取時間を短縮することができるとともに、カラー原稿の読み取りを高精度で行うことができる。
【００１８】
本発明の画像読み取り方法は、さらに、上記第１読取モードでの原稿画像の読み取り中に、原稿画像に有彩色が含まれていると判断された場合には、該第１読取モードを中止するとともに、第２読取モードによる読み取りの準備動作を開始することがより好ましい。
【００１９】
上記の構成によれば、第１読取モードで読み取りを行っている最中に、原稿に有彩色が含まれていることを検出した場合には、第２読取モードでの読み取りを行うので、第１読取モードによって得られた画像情報は出力されることがない。つまり、原稿に有彩色が含まれていることを検出した時点で、それ以降の第１読取モードでの原稿の読み取り、および、検出工程は必要ない。従って、第１読取モードでの読み取りを中止して、第２読取モードによる読み取りの準備動作を行うことにより、第２読取モードでの原稿の読み取りを早く行うことができるので、原稿の読取時間を短縮することができる。
【００２０】
また、本発明の画像読み取り方法は、さらに、上記準備動作は、原稿画像を読み取る読取手段を、上記第２読取モードにおける読み取り開始位置に移動させることを含むことがより好ましい。
【００２１】
上記の構成によれば、読取手段を、第２読取モードでの原稿の読み取り開始位置に、予め移動させておくので、第２モードでの原稿の読み取り開始を早くすることができるとともに、カラー原稿の読取時間の短縮を図ることができる。
【００２２】
本発明の画像読み取り方法は、さらに、上記準備動作は、原稿画像を第２読取モードで読み取るために必要な光の強度となるように、照明手段を点灯させることを含むことがより好ましい。
【００２３】
一般的に、第２読取モードで原稿を読み取る場合と、第１読取モードで原稿を読み取る場合とでは、原稿に照射する光の強度（光量）が異なる。具体的には、原稿を静止させた状態で読み取る第２読取モードで照射する光の強度は、原稿を搬送しながら読み取る第１読取モードで照射する光の強度に比べて強くすることができる。これにより、第２読取モードは、第１読取モードと比べて、より一層精度よく原稿を読み取ることができる。また、第２読取モードにて原稿の読取を行う場合には、読み取りを開始する前に、なるべく速く第２読取モードでの原稿の読み取りに適した光の強度となるように照明手段を点灯させておくことが好ましい。上記の構成によれば、第２読取モードでの原稿の読み取りを開始する前に照明手段を上記条件で点灯させることにより、早くかつ安定した（精度のよい）原稿の読み取りを行うことができる。
【００２４】
本発明の画像読み取り方法は、さらに、上記第２読取モードでの原稿画像の読み取り方向が、上記第１読取モードにおける原稿画像の読み取り方向と同じ方向となるように、原稿画像の読み取りを行うことがより好ましい。
【００２５】
本発明では、原稿をラインごとに読み取るようになっている。原稿を、上記読取手段の走査により読み取る場合、つまり、原稿画像を静止させた状態（第２読取モード）で読み取る場合には、原稿画像の搬送方向に対して、何れの側から読み取ってもよいが、読み取り方向によって読み取られる画像情報のライン順が異なることとなる。
【００２６】
一般に、第１読取モードでは、原稿原稿の搬送方向の反対方向に、原稿画像を読み取るようになっている。従って、第２読取モードにおいて、読取手段を原稿の搬送方向に走査させる場合には、第１読取モードと第２読取モードとで、読み取りラインの順番が逆になる。具体的には、第１読取モードにおいて原稿の先端から読み取り、第２読取モードにおいて読取手段を原稿の搬送方向と同一方向に走査させた場合には、該第２読取モードでは原稿は後端からの読み取りとなる。そして、第１読取モードと第２読取モードとで読み取りラインが逆になっている場合、同じ画像を出力するためには、どちらか一方の画像情報を反転させて出力する必要がある。
【００２７】
上記の構成によれば、第２読取モードにおける原稿の読み取り方向を、第１読取モードにおける原稿画像の読み取り方向と同じ方向になるように原稿画像を読み取っている。従って、上記両読取モードにて読み取られた画像情報は、同じライン順となっている。これにより、何れか一方の方法で読み取った画像情報に、上記のような特別な処理を施すことなく、出力することが可能となるので、画像情報の処理が容易となる。
【００２８】
本発明の画像読み取り方法は、さらに、上記第２読取モードでの原稿画像の読み取りでは、原稿画像を第２読取モードにおける読み取り位置まで搬送した後、上記原稿画像の搬送方向と同一の方向に、原稿画像を読み取る読取手段を走査させることがより好ましい。
【００２９】
上記の構成によれば、第２読取モードで原稿を読み取る際、上記読取手段を原稿の搬送方向と同じ方向に走査させるので、第１読取モードから第２読取モードに移るときに、読取手段、具体的には、読取手段の光学走査系を移動させずに済む。従って、第２読取モードに移る際に上記読取手段を移動させずに済むので、例えば、１枚だけの原稿画像を読み取る場合には、読取時間を短縮することができる。
【００３０】
本発明の画像読み取り方法は、さらに、上記第１読取モードで原稿画像を読み取り、さらに第２読取モードでも該原稿画像を読み取った場合には第２読取モードで読み取った画像情報のみを出力することがより好ましい。
【００３１】
上記の構成によれば、第２読取モードで原稿画像の読み取りを行った場合には第１読取モードで読み取った画像情報と第２読取モードで読み取った画像情報とが存在することとなる。そこで、読み取り精度が高い第２読取モードで読み取った画像情報のみ出力する。これにより、余分な画像情報を出力することがない。
【００３２】
本発明の画像読取装置は、上記の問題を解決するために、原稿画像を搬送させながら読み取る第１読取モードと、原稿画像を静止させた状態で読み取る第２読取モードとの少なくとも一方で原稿画像を読み取ることができる読取手段を備えた画像読取装置において、読み取られた画像情報を解析することにより、原稿画像に有彩色が含まれているか否かを判断する検出手段と、読み取られた画像情報を出力する出力手段と、上記検出手段、読取手段および出力手段を制御する制御手段とを備えており、上記制御手段は、上記第１読取モードでの原稿画像の読み取りにて、上記検出手段が原稿画像に有彩色が含まれていると判断した場合には、上記原稿画像を第２読取モードで読み取るように上記読取手段を制御する一方、上記検出手段が原稿画像に有彩色が含まれていないと判断した場合には、上記第１読取モードにて読み取った画像情報を出力するように上記出力手段を制御するようになっていることを特徴としている。
【００３３】
上記の構成によれば、例えば、カラー原稿と白黒原稿とが混在している場合でも、一般に読み取る割合の多い白黒原稿の読取時間を短縮することができる一方、カラー原稿の読取を高精度で行うことができる画像読取装置を提供することができる。
【００３４】
本発明の画像読取装置は、さらに、上記読取手段は、原稿画像をＲ、Ｇ、Ｂの色成分に分解して読み取ることができるとともに、上記制御部は、読み取った画像情報を無彩色として出力する場合には、少なくとも１つの色成分の画像情報を選択して、出力するようになっている構成がより好ましい。
【００３５】
無彩色の画像情報とは、白黒の画像情報のことである。つまり、上記構成によれば、有彩色（カラー）の画像情報を、無彩色（白黒）の画像情報として出力する場合には、Ｒ（赤）、Ｇ（緑）、Ｂ（青）の色成分に分解された色成分のうちの少なくとも１つの色成分の画像情報を出力するようになっている。
【００３６】
このＲＧＢのデータを画像処理することにより、無彩色の画像情報として出力することができる。また、上記Ｒ、Ｇ、Ｂの色成分のうち、Ｇの色成分のみを出力して無彩色の画像情報を形成することにより、より高精度の白黒の画像情報を出力することができる。
【００３７】
これにより、上記読取手段により分解された各色成分のうち、例えば、Ｇの画像情報のみを出力してモノクロデータとすることにより、より簡単に白黒（無彩色）の画像情報（モノクロデータ）として出力することができる。
【００３８】
また、例えば、第２読取モードで読み取った画像情報を無彩色の画像情報として出力する、すなわち、上記画像情報のいずれか１つの色成分のみ、モノクロデータとして出力することにより、高精度の無彩色の画像情報を出力することができる。
【００３９】
なお、読取手段は、原稿を、Ｒ、Ｇ、Ｂ以外の他の色成分に分解しても良い。
【００４０】
本発明の画像読取装置は、上記読取手段は、原稿画像をライン毎に読み取ることができるとともに、さらに、読み取られたライン順の画像情報と逆のライン順の画像情報を出力する画像反転手段を備えている構成がより好ましい。
【００４１】
これによれば、例えば、第１読取モードで原稿の先端から該原稿を読み取ったとする。この場合、第２読取モードでの原稿を読み取る読取方向、具体的には読み取り手段の走査方向によっては原稿の後端からの読み取りとなる場合がある。この場合、第２読取モードで読み取った画像情報を、上記画像反転手段により、第１読取モードで読み取った画像情報のラインの順序と逆の順序とすることで、２つの読取モードの何れの読み取りで行われても出力される画像情報の向きは同じになる。これにより、上記第１読取モードと第２読取モードとで出力される画像情報の向きを同じにすることができるので、例えば、上記画像読取装置に接続した機器にて画像情報の向きを合わせる処理をする必要がない。
【００４２】
本発明の画像読取装置は、さらに、上記読取手段は原稿画像に光を照明する照明手段を備えており、上記制御手段は、第２読取モードで原稿画像を読み取る場合に比べて、第１読取モードで原稿画像を読み取る場合の方が、原稿画像に照射する光の強度を小さくするように照明手段を制御するようになっている構成がより好ましい。
【００４３】
これによれば、第１読取モードで原稿を読み取る場合には、読取手段を固定した状態で原稿を読み取るため、照明手段からの光が常に一定の場所にあたることとなり局部的な温度上昇が発生する。これにより、特に、照明手段（光源）付近での温度上昇が大きく、読取手段の故障の原因となる場合がある。
【００４４】
上記の構成によれば、第１読取モードで原稿画像を読み取るときは、第２読取モードで原稿画像を読み取るときに比べて、原稿に照射する光の強度（光量）を小さくしている。従って、上記局部的な温度上昇を少なくして、装置の故障や原稿台に手を触れた場合に火傷を負うこと等を防止することができる。
【００４５】
また、第２読取モードでは読取手段の走査光学系を移動させるために、特定の場所のみに光を照射し続けることがないので、照明光量を大きくすることができ、原稿の、高精度の（質の高い）読み取りを行うことができる。
【００４６】
【発明の実施の形態】
〔実施の形態１〕
本発明の実施の一形態について図１ないし図５に基づいて説明すれば、以下の通りである。なお、本実施の形態にかかる画像読取装置は、シート状の原稿画像をライン毎に読み取ることができる装置である。また、有彩色が含まれている原稿をカラー原稿、無彩色のみしか含まれていない原稿を白黒原稿として説明する。また、本発明にかかる原稿画像（以下、原稿と称する）とは、画像データに限れられるものではなく、文字データや記号データ等も含むものとする。
【００４７】
本発明の実施の形態にかかる画像読取装置は、原稿画像を静止させた状態で読み取る第１読取モードと、原稿画像を搬送させながら読み取る第２読取モードとの少なくとも一方で原稿画像を読み取ることができる読取手段を備えた画像読取装置において、読み取られた画像情報を解析することにより、原稿画像に有彩色が含まれているか否かを判断する検出手段と、読み取られた画像情報を出力する出力手段と、上記検出手段、読取手段および出力手段を制御する制御手段とを備えており、上記制御手段は、上記第１読取モードでの原稿画像の読み取りにて、上記検出手段が原稿画像に有彩色が含まれていると判断した場合には、上記原稿画像を第２読取モードで読み取るように上記読取手段を制御する一方、上記検出手段が原稿画像に有彩色が含まれていないと判断した場合には、上記第１読取モードにて読み取った画像情報を出力するように上記出力手段を制御するようになっている構成である。
【００４８】
本発明の実施の形態にかかる画像読取装置は、図２に示すように、大きく分けて、下部筐体１、上部筐体２、排紙トレイ３から構成されている。
【００４９】
上記下部筐体１は、読取部１０とプラテンガラスで形成される原稿台１１とから構成されている。そして、図２に示すように、読取部１０は、第１走査ユニット１２・第２走査ユニット１３・結像レンズ１４・ＣＣＤ（Ｃｈａｒｇｅ　Ｃｏｕｐｌｅｄ　Ｄｅｖｉｃｅ）１５を備えている。
【００５０】
原稿台１１は、静止読取モード、走行読取モードで原稿を読み取る場合に、該原稿を載置するものである。また、上記原稿台１１上を原稿が搬送するようになっている。なお、本実施の形態では、静止読取モードと走行読取モードとの両方の読取モードにおいて、同一の原稿台１１（プラテンガラス）を用いて原稿を読み取っているが、それぞれ異なる原稿台を用いてもよい。なお、上記静止読取モード、走行読取モードについては、後述する。
【００５１】
上記第１走査ユニット１２は、原稿台１１に沿って左から右あるいは右から左に一定速度Ｖで移動しながら、原稿を露光しながら走査し原稿からの反射光を第２走査ユニット１３に導くものであり、光源（ハロゲンランプ、キセノンランプ、蛍光灯等の露光ランプ）５０と、原稿の反射光を第２走査ユニット１３に導く第１反射ミラー５１とを有している。
【００５２】
第２走査ユニット１３は、第１走査ユニット１２に追随してＶ／２の速度で移動するようになっており、第１反射ミラー５１からの光を結像レンズ１４・ＣＣＤ１５に導く第２・第３反射ミラー５２・５３を備えている。
【００５３】
結像レンズ１４は、第３反射ミラー５３からの反射光を、ＣＣＤ１５上で結像させるものである。ＣＣＤ１５は、結像レンズ１４からの光をアナログの電気信号に変換するものである。なお、この電気信号は、図示しない画像処理部によってデジタルの画像情報に変換され、そのまま、または画像メモリに一旦記憶され、画像形成装置や外部の機器等に出力される。
【００５４】
なお、第２走査ユニット１３と第１走査ユニット１２とには、これらの移動を同期させるために、図示しないワイヤが巻き掛けられている。そして、第２走査ユニット１３と第１走査ユニット１２とは、このワイヤを介して、ステッピングモータ（図示せず）によって駆動されるようになっている。
【００５５】
また、読取部１０は、原稿を搬送していない状態、すなわち、静止した状態で原稿台１１上に載置された原稿の読み取りに加えて、後述するように、上部筐体２の原稿搬送装置によって搬送される原稿を読み取る機能も有している。
【００５６】
また、図示していないが、上記読取部１０は、少なくともＣＣＤ、結像レンズ、光源を一つのユニットに構成した縮小読取光学系を備えていてもよい。また、等倍読取光学系のユニットをＶの速度で走査させる構造であってもよい。
【００５７】
また、静止した状態の原稿を読み取る際、すなわち、原稿台１１上の原稿を読み取る際には、第１走査ユニット１２は、図２に示すように、Ｐｏｓ１の位置からＰｏｓ２の位置の方向に、あるいはその逆の方向（Ｐｏｓ２からＰｏｓ１の方向）に、原稿サイズ検出手段（図示しない）で検出された原稿サイズに応じて所定距離だけ移動するようになっている。一方、搬送されている原稿を読み取る際には、第１走査ユニット１２は、図２中のＰｏｓ１の位置に停止した状態で原稿の読取を行う。また、使用されていない待機中には、例えば、Ｐｏｓ１、Ｐｏｓ２の位置あるいはその中間の位置のいずれかを、第１走査ユニット検出器を基準にホームポジションとして停止している。
【００５８】
なお、上記Ｐｏｓ１とは、走行読取モード、すなわち、読取部１０を固定した状態での搬送されてくる原稿の読取位置を示している。なお、本実施の形態でのＰｏｓ１は、後述する第１原稿搬送路３２と第２原稿搬送路３５との間に設定されている。また、Ｐｏｓ２とは、静止読取モードにて原稿を読み取る場合の、原稿を静止させた状態における、原稿の搬送方向の逆方向に第１走査ユニット１２を走査させるときの、原稿の読み取り開始位置を示している。従って、読取部１０の第１走査ユニット１２のＰｏｓ２の位置は、原稿のサイズ（長さ）により変化する。つまり、例えばＡ４サイズとＡ３サイズとでは、Ｐｏｓ２の位置が異なる。つまり、原稿サイズ検出手段により、検出されたサイズに対応する、原稿の幅の分だけ、読み取りを行うことで、読取時間を短縮することができる。
【００５９】
なお、本実施の形態において、走行読取モードにて、原稿の読み取りを行う場合における第１走査ユニット１２の位置は、Ｐｏｓ１としている。しかし、走行読取モードでの第１走査ユニット１２の位置、すなわち、走行読取モードでの原稿の読取位置は、特に限定されるものではないが、上記Ｐｏｓ１とＰｏｓ２との間で原稿の読み取りを行うことが好ましい。
【００６０】
図２に示す上部筐体２は、下部筐体１との間に設けられたヒンジ（図示せず）を回動支点として、上方に回動するようになっている。これにより、画像読取装置では、原稿台１１の上面（原稿を載置する面）を開放できるようになっており、例えば、後述する原稿搬送装置で、搬送することができない原稿を原稿台１１にセットできるようになっている。
【００６１】
上部筐体２は、図２に示すように、原稿搬送装置等から構成されている。原稿搬送装置は、原稿を載置する台である原稿トレイ２２、原稿を１枚ずつ順次に第１原稿搬送路３２に供給する原稿呼込み部３０、原稿を搬送する複数の搬送ローラ３４を備えた屈曲した第１原稿搬送路３２、原稿を原稿台１１上で第２読取部２３に搬送するベルト搬送手段３３を備えた第２原稿搬送路３５および第２読取部２３より画像読取装置の外部に排出する排紙ローラ４０等から構成されている。
【００６２】
原稿トレイ２２は、読み取る原稿を複数枚（例えば、１００枚ほど）載置するための台であると共に、昇降機構部６０の昇降モータ６１を回転させることにより、支点を中心に昇降可能になっている。具体的には、昇降モータ６１の回転動作は、伝達部材（歯車）により、昇降プレート６２取付けられている昇降プレート支持軸６４に伝えられる。そして、昇降プレート６２が回転することにより、昇降プレート６２が原稿トレイ２２の底部に設けられたリブ６３に接触して原稿トレイ２２を押し上げることで、この原稿トレイ２２の昇降動作が行われる。
【００６３】
さらに、原稿トレイ２２には、原稿が載置されたことや、載置された原稿のサイズを検出する、例えば、光学式のセンサや、アクチュエータ等からなる原稿検出器４３が備えられている。また、原稿トレイ２２の待機時の位置は、原稿トレイ２２の近傍に設けられた、反射タイプのセンサ等で構成された原稿トレイ検出器４２からの信号に応じて、後述する制御部が昇降機構部６０の昇降モータ６１を制御することにより決められる。この位置は、後述する操作部より、頻度の高い原稿の枚数に合わせて任意に設定できるようになっており、サービスマンや使用者が予め設定を行うようになっている。
【００６４】
なお、上記原稿トレイ検出器４２は、原稿トレイ２２がほぼ最上点に位置するときにＯＮ信号を発生するように配置されている。これは、一般に、頻度の高い原稿の枚数は数枚程度が多く、原稿トレイ２２がほとんど最上部に相当する位置に配置されているためである。そして原稿トレイ検出器４２が、例えば、反射タイプのセンサで構成されている場合には、原稿トレイ検出器４２を、原稿トレイ２２が待機位置にいる場合において確実に検出できるように配置することがより好ましい。
【００６５】
原稿呼込み部３０は、原稿トレイ２２から原稿をピックアップする呼込みローラ３７、原稿を１枚だけ第１原稿搬送路に分離して送り込む分離ローラ３６等により構成されている。呼込みローラ３７は、アーム３１に支持されており、アーム３１は、分離ローラ３６の回転軸に対して回動可能に支持されている。さらに、アーム３１は、引張スプリング等からなる付勢手段３８により、通常は開放されている（図２の実線参照）。そして、アーム３１に接続されている（図１では接続する連結部材を記載していない）ソレノイド等からなる駆動手段３９が後述する制御部からの信号によって動作（ＯＮ）すると、呼込みローラ３７が原稿に接触するようになっている（破線で示す状態）。なお、上記開放されているとは、呼び込みローラ３７が原稿に接触していない状態を示す。原稿呼込み部３０が待機時に開放状態となるように構成されているのは、原稿を原稿トレイ２２に載せやすくするためである。特に枚数が多い場合は、原稿を上から降ろすように載せる方が容易に行うことができるからである。また、アーム３１には凸部が形成されている。そして、光センサ等で構成される呼込みローラ位置検出器４１によって、該凸部を検出することにより、呼込みローラ３７の位置（高さ）が検出される。なお、無端ベルトを張架する従動ローラには、図示しない引張スプリングや圧縮スプリングなどの付勢手段により、シート部材（原稿）の搬送方向に対して、略平行で逆方向に従動ローラを付勢し、無端ベルトが弛み無く駆動ローラとの接触部で働く摩擦力によって無端ベルトが回転移動できるようにテンション力が与えられている。
【００６６】
分離ローラ３６には、トルクリミッタを備えたローラや摩擦パットが対向して設けられており、複数の原稿が重なることなく、１枚づつ確実に分離されて搬送されるようになっている。
【００６７】
第１原稿搬送路３２は、屈曲した搬送ガイド、複数の搬送ローラ３４および第１原稿搬送路３２に送り込まれる原稿の搬送タイミングを検出する給紙検出器４４等により構成されている。
【００６８】
第２原稿搬送路３５は、原稿搬送方向に対して、第１原稿搬送路３２の下流に位置し、ほぼ直線に形成されている。そして、第２原稿搬送路３５の片側の搬送ガイドの一部は原稿台１１により構成されている。つまり、第２原稿搬送路３５は、後述するベルト搬送手段と原稿台１１とにより形成されている。そして、原稿は、このベルト搬送手段と原稿台１１との間を搬送される。
【００６９】
第２原稿搬送路３５内の原稿台１１には、ベルト搬送手段３３が該原稿台１１に対向して設けられており、原稿が原稿台１１を安定して搬送できるようになっている。ベルト搬送手段３３はウレタンゴム製の無端ベルトを駆動ローラ部材や従動ローラ部材等によって回動可能に張架されている。
【００７０】
なお、駆動ローラ、従動ローラは鉄、ステンレスやアルミの金属ローラやポリアセタールなどの樹脂であればよいが、無端ベルトと駆動ローラとの間の摩擦力が小さくスリップが発生しやすい場合には、駆動ローラの表面に摩擦防止のために、摩擦係数の大きい高分子材料等の被覆処理等が施される場合もある。
【００７１】
また、本実施の形態では、無端ベルトは、ウレタンゴム製で０．５〜１．５ｍｍ程度の厚さのものを使用しているが、その他、例えば、ネオプレン、ＥＰＤＭやＮＢＲ等ゴム等を使用することができる。
【００７２】
第２原稿搬送路３５から見て、原稿搬送方向の下流側には、読取を終了した原稿を排紙トレイ３に排出するための排紙ローラ４０が備えられている。この排紙ローラ４０の近傍には、さらに、原稿が確実に排出されたか否かを検出する排紙検出器４５が備えられており、確実な原稿の搬送制御ができるようになっている。
【００７３】
なお、本実施の形態では、原稿トレイ２２の位置が、それぞれの読取ポイント（第１走査ユニット１２および第２走査ユニット１３）の上部に位置するために、第１原稿搬送路は屈曲した搬送路になっている。しかし、原稿トレイ２２の位置によっては、単に傾斜を持った搬送路の場合もある。
【００７４】
また、本実施の形態にかかる画像読取装置には、図示しない、操作部、画像出力部、画像記憶部、原稿画像判断部および制御部が備えられている。
【００７５】
操作部は、図示しない表示部および操作パネル等を有している。そして、上記操作パネルを操作することにより、例えば、ユーザによる原稿の読取モード（静止読取モード、走行読取モード）の切り替えや、原稿読取条件（解像度等）の入力が行われる。なお、本実施の形態の画像読取装置において、原稿搬送装置を用いて原稿を読み取る場合には、原稿トレイ２２に原稿の表面（画像がある面）を下にして載置して、読取部にて原稿の表面を読み取るようになっている。このとき、上記操作部の表示部には、原稿トレイ２２に原稿の表面を下側にしてセットすることを促す表示がされている。
【００７６】
画像出力部では、本実施の形態にかかる画像読取装置によって読み取られた画像情報を、該画像読取装置に接続されている外部機器に出力するようになっている。上記画像出力部としては、具体的には、例えば、インターフェース等が挙げられる。
【００７７】
画像記憶部は、読み取られた画像情報を記憶するためのものである。なお、該画像記憶部は、読み取られた画像情報を一時的に記憶するメモリおよび読み取られた画像情報を大量に記憶する大容量記憶装置（ハードディスク）を含むものとする。
【００７８】
原稿画像判断部は、読み取る原稿画像を解析して、該原稿画像に有彩色が含まれているか否かを判断するものである。より詳細には、原稿画像判断部は、原稿画像が読取部１０にて読み取られることによって得られた画像情報を解析して、該画像情報に有彩色が含まれているか否かを判断するものである。
【００７９】
制御部（制御手段）は、少なくとも画像出力部（出力手段）、原稿画像判断部（検出手段）および読取部（読取手段）１０を制御するようになっている。具体的には、本実施の形態では、図３に示すように、制御部は、操作部、画像出力部、画像記憶部、原稿画像判断部、読取部１０、回転駆動部８０、排紙検出器４５、給紙検出器４４、原稿呼込み部３０、呼込みローラ検出器４１、原稿検出器４３、原稿トレイ検出器４２および昇降機構部６０を制御している。なお、回転駆動部８０は、搬送ローラ駆動部８１、搬送ベルト駆動部８２、呼込み・分離ローラ回転駆動部８３および排紙ローラ駆動部８４から構成されている。
【００８０】
本実施の形態にかかる画像読取装置において、制御部は、上記搬送読取モードでの原稿画像の読み取りにて、上記原稿画像判断部が原稿画像に有彩色を検出した場合には、上記原稿画像を静止読取モードで読み取るように上記読取部１０を制御する一方、上記検出手段が原稿画像に有彩色を検出しない場合には、上記搬送読取モードにて読み取った画像情報を出力するように上記画像出力部を制御するようになっている。
【００８１】
上記読取部１０のＣＣＤ１５はカラー用のＣＣＤであり、本実施の形態のような縮小光学系では、例えば３ラインのカラーＣＣＤが一般的に使用されている。該縮小光学系において、上記３ラインのカラーＣＣＤにて、原稿を読み取る場合には、ＲＧＢの夫々の読取ラインが、それぞれ複数ラインずれて原稿を読み取るようになっている。従って、同時に読み取る場所がそれぞれ異なることにより、走行読取モードの場合には、静止読取モードに比べて、原稿の搬送精度が低下することとなり、色ずれ等の読取品質の低下が起こりやすい。
【００８２】
また、特に、湾曲した第１搬送路３２内を原稿が搬送される場合、図４に示すように、原稿が湾曲した部分から抜ける際に発生する搬送抵抗（反力Ｒによって発生する）により原稿の搬送速度が変化しやすい。また、第１搬送路３２が湾曲してない場合、例えば傾斜を有する直線的な搬送路であったとしても、第１搬送路３２の終端から第２搬送路３３に入り込むポイントである変化点Ｐを原稿の後端が通過するときに、瞬間的に原稿の搬送速度が変更しやすい。
【００８３】
そして、上記読み取り位置が異なったり、搬送速度が変化することは、特に、有彩色が含まれている原稿（カラー原稿）を読み取る場合に、大きく影響することになる。
【００８４】
本実施の形態では、検出手段にて、読み取る原稿に有彩色が含まれているか否かを判断して、制御部は上記カラー原稿を読み取る場合には、原稿を静止させた状態で読み取るようになっている。従って、上記読み取り位置のずれや搬送速度の変化等の影響を無くすことができる。
【００８５】
本実施の形態にかかる画像読取装置は、原稿画像（以下、原稿と称する）を静止させた状態で画像を読み取る静止読取モード（第２読取モード）と、原稿を搬送させながら画像を読み取る走行読取モード（第１読取モード）との読取モードを備えている。そして、静止読取モードでは、下部筐体１内の読取部１０によって原稿を走査して画像を読み取る一方、走行読取モードでは、下部筐体１内の読取部１０を所定の位置に停止させたままで原稿の読み取りを行うようになっている。つまり、上記静止読取モードは、原稿が静止した状態で、読取部１０を移動させるようになっており、走行読取モードは、読取部１０を固定したままで、原稿を移動させることにより、該原稿を読み取るようになっている。上記静止読取モードは、原稿を静止した状態で読み取るので、精度良く原稿を読み取ることができる。一方、走行読取モードは、原稿を搬送しながら該原稿の読取を行うので、読取時間を短くすることができる。
【００８６】
本実施の形態にかかる原稿の読取処理の一例について、図１のフローチャートを参照して説明する。
【００８７】
まず、制御部は、ユーザによって、画像読取開始の指示を受ける。具体的には、制御部は、操作部のスタートキーが押圧されたか否かを判断する（Ｓ２１）。
【００８８】
そして、制御部は、スタートキーが押圧されたことを検出すると、読み取る原稿が原稿トレイ２２に載置されているか否かを検出する（Ｓ２２）。
【００８９】
Ｓ２２において、原稿トレイ２２に原稿が載置されていると判断した場合、制御部は、原稿呼込み部を制御して、呼込みローラ下降用ソレノイド（駆動手段）をＯＮにする。これにより、呼込みローラ３７が、原稿を搬送することができる位置に移動する。具体的には、呼込みローラ３７は、原稿と接する位置に移動する。
【００９０】
次に、制御部は、呼込みローラ３７が所定の位置にあるか否かを判断する（Ｓ２５）。そして、呼込みローラ３７が所定の位置にないと判断した場合には、制御部は、原稿トレイ２２を移動させることにより、呼込みローラを所定の位置に移動させる（Ｓ２７）。上記所定の位置とは、原稿が呼込みローラ３７と接する位置のことである。そして、Ｓ２５において、呼込みローラ３７が所定の位置にあると判断した場合には、制御部は、原稿の供および原稿読取位置までの原稿の搬送を行う（Ｓ２６）。
【００９１】
そして、制御部は、第１原稿搬送路３２上を搬送されてくる原稿を走行読取モードにて該読取部１０に読み取らせる（Ｓ２６）。
【００９２】
次に制御部は、原稿画像判断部を動作させ、読み取られた原稿に有彩色が含まれている否かを判断する（Ｓ２９）。具体的には、原稿画像判断部は、読取部１０にて読み取られた画像情報を解析することにより、原稿画像に有彩色が含まれているか否かを判断する。さらに詳細に説明すると、読取部１０のＣＣＤ１５による原稿読取の際に、該ＣＣＤ１５から赤（Ｒ）、緑（Ｇ）、青（Ｂ）に分離された画像信号が出力される。従って、上記原稿画像判断部は、上記分離された画像信号に基づいて、原稿に有彩色が含まれているのか否かを判断する。なお、上記原稿画像判断部による判断は、原稿の読み込まれた部分から順次、解析を行うようになっている。
【００９３】
そして、Ｓ２９において、原稿画像判断部が原稿に有彩色が含まれていると判断した場合には、原稿の読取が続行して原稿の読取を完了させる。そして、原稿の読取が完了した時点で原稿の搬送を止める（Ｓ３０）。これにより、原稿は、静止読取モードにおける原稿読取位置まで移動することとなる。
【００９４】
次に、制御部は、読取部１０を動作させ、静止読取モードで原稿の再読み取りを行う（Ｓ３１）。そして、原稿の読取が完了した後、制御部は、静止読取モードで読み取った画像情報を出力する。このとき、上記走行読取モードにて読み取られた画像情報は、消去される。これは、静止読取モードで読み取った画像情報の方が走行読取モードで読み取った画像情報よりも、高精度であるからである。
【００９５】
Ｓ３１にて、静止読取モードで読み取りが完了した原稿は、ベルト搬送手段３３により、第２原稿搬送路を搬送された後に、搬送排紙ローラ４５にて排紙される（Ｓ３２）。
【００９６】
そして、制御部は、次の原稿があるか否かを検出する。次の原稿がある場合には、処理はＳ２５に進む。そして、次の原稿がない場合には、原稿読み取り処理を終了する。
【００９７】
なお、Ｓ２９において、原稿画像判断部が、読み取る原稿に有彩色が含まれていない、すなわち、読み取る原稿に無彩色しか含まれていないと判断した場合には、原稿を、上記走行読取モードにて完全に読み取り、処理をＳ３２に進める。上記読み取る原稿に有彩色が含まれていないと判断した場合には、走行読取モードにて読み取られた画像情報を出力するようになっている。
【００９８】
また、Ｓ２２にて、制御部は、原稿トレイ２２に原稿が載置されていないと判断すると、例えば、操作部にある表示パネル等を用いて、原稿が載置されていない旨を使用者に通知する。
【００９９】
また、上記Ｓ２９においては、原稿画像判断部は、原稿の読み込まれた部分から順次、解析を行うようになっているが、これは、特に限定されるものではなく、例えば、完全に原稿を読み込んだ後に、該原稿画像判断部による解析を行っても良い。
【０１００】
また、Ｓ３１にて、静止読取モードで原稿を読み取る場合、上記走行読取モードと同じ向き、すなわち、図５に示すように、原稿の搬送方向に対して反対側の向き（図中、破線の矢印で示す）に原稿を読み取ってもよく、また、走行読取モードと逆の向き、すなわち、原稿の搬送方向の向き（図中、実線の矢印で示す）に読み取ってもよい。そして、上記走行読取モードと同じ向きで原稿を読み取る場合には、読み取られた画像情報が、走行読取モードにて読み取られた画像情報と同じであるので、特別な処理（画像の向きを反転させる反転処理）を行うことなく画像情報を出力することができる。
【０１０１】
一方、上記走行読取モードと逆の向きで原稿を読み取る場合には、原稿の読取時間を短縮することができる。これは、静止読取モードで原稿を読み取る際、上記第１走査ユニット１２は、走行読取モードの読取位置に位置している。そして、原稿は、上記第１走査ユニット１２から見て、原稿搬送方向の下流側に位置している。すなわち、上記走行読取モードと逆の向きで原稿を読み取る場合には、現在の位置から原稿を読み始めればよいので、読取時間を短縮させることができる。なお、上記走行読取モードと逆の向きで原稿を読み取る場合には、得られた画像データの向きを反転させる反転処理手段が、画像読取装置に備えられている。
【０１０２】
以上のように、本実施の形態にかかる画像読取方法は、原稿画像を搬送させながら読み取る第１読取モードと、上記原稿画像を静止させた状態で読み取る第２読取モードとの少なくとも一方で原稿画像を読み取ることができる画像読取方法において、上記原稿画像を上記第１読取モードで読み取る読取工程と、上記読取工程にて読み取られた画像情報を解析することにより、原稿画像に有彩色が含まれているか否かを判断する検出工程とを含み、上記原稿画像に有彩色が含まれていると判断された場合には、上記原稿画像を第２読取モードで読み取る一方、原稿画像に有彩色が含まれていないと判断された場合には、上記第１読取モードにて読み取られた画像情報を出力する方法である。
【０１０３】
上記の構成によれば、本発明の画像読取方法では、原稿に有彩色が含まれているか否か、すなわち、読み取る原稿がカラーであるか白黒であるかを判断（解析）することができる。そして、読み取る原稿がカラー（以下、カラー原稿と称する）である場合、すなわち、読み取られた画像情報を解析することにより原稿に有彩色が含まれていることが検出（判断）された場合には、上記第２読取モードの読み取り位置まで原稿を移動させた後、第２読取モードで再度、原稿の読み取りを行うようになっている。つまり、カラー原稿の場合には、静止させた状態で原稿を読み取るので、高精度に原稿を読み取ることができる。
【０１０４】
一方、読み取る原稿が白黒（以下、白黒原稿と称する）である場合、すなわち、読み取られた画像情報を解析することにより原稿に有彩色が含まれていないことが検出された場合には、上記第１読取モードで読み取った画像情報を出力するようになっている。つまり、白黒原稿の場合には、最初に行う第１読取モードによって読み取られた画像情報を、そのまま出力するので、従来と比べて、読取時間を短縮することができる。
【０１０５】
また、本発明の画像読取方法では、原稿に有彩色が含まれているか否かを自動的に判断するようになっている。従って、カラー原稿と白黒原稿とが混在している場合であっても、原稿の読み取りを、間違うことなく行うことができる。
【０１０６】
以上により、例えば、カラー原稿と白黒原稿とが混在している場合でも、一般に読み取る割合の多い白黒原稿の読取時間を短縮することができる一方、カラーの原稿の読取を高精度で行うことができる。
【０１０７】
なお、使用者によって、原稿の種類（カラー原稿、白黒原稿）が予め設定されている場合は、原稿の読取データの判断動作が省略され、白黒読取モードでは走行読取モードのみにて読み取りが行われる。カラー読取モードでは、静止読取モードにて読み取りが行われるようになっていてもよい。
【０１０８】
また、操作部は、走行読取モードまたは静止読取モードを選択することができるようになっている。これにより、例えば、原稿が厚い場合など原稿の搬送性能に支障を来たしやすいと思われる場合に、使用者が自由に選択できる。そして、使用者によって、走行読取モードまたは静止読取モードが予め設定されている場合には、原稿の解析を行うことなく、直接、設定された読取モードにて、原稿が読み取られるようになっている。
【０１０９】
また、上記読取工程にて読み取られた画像情報とは、原稿の一部が読み取られた画像情報でもよく、原稿の全てが読み取られた画像情報でもよい。すなわち、検出工程は、少なくとも原稿の一部が読み取られた時点で開始してもよく、原稿が完全に読み取られた時点で開始してもよい。
【０１１０】
〔実施の形態２〕
本発明の他の実施の形態について図６に基づいて説明すれば、以下の通りである。なお、説明の便宜上、前記実施の形態１にて示した各部材と同一の機能を有する部材には、同一の符号を付記し、その説明を省略する。
【０１１１】
本実施の形態では、静止読取モードと走行読取モードとにおいて、同じ読取方向で原稿を読み取る構成について説明する。
【０１１２】
上記実施の形態１のＳ３０において、静止読取モードで原稿を読み取る場合、第１走査ユニット１２は、走行読取モードにおける読取位置にある。すなわち、第１走査ユニット１２は、静止読取モードで読み取る場合の原稿に対して、原稿搬送方向の上流側、かつ、原稿の一端に隣接して配置されている。従って、静止読取モードにおいて、上記走行読取モードと同じ向きでより早く原稿を読み取るためには、原稿を読み始める前に、上記第１走査ユニット１２を、原稿に対して、原稿搬送方向の下流側まで移動させる必要がある。以下に具体的な方法について、図６のフローチャートを参照して説明する。
【０１１３】
静止読取モードと走行読取モードとが同じ読取方向で、より早く原稿を読み取る処理を行う場合、上記実施の形態１で説明した、画像読取処理のＳ３０〜Ｓ３１の代わりに、以下に説明する処理を行えばよい。
【０１１４】
具体的には、Ｓ２９において、原稿画像判断部が、搬送されてくる原稿に有彩色が含まれているか否かを判断する。すなわち、第１走査ユニット１２は、搬送されてくる原稿をライン毎に読み取っていく。そして、その得られたライン毎の画像情報を、原稿画像判断部で、順次、解析していく。
【０１１５】
次に、制御部は、原稿画像判断部により解析された画像情報に、有彩色が含まれていると判断した場合には、直ちに、走行読取モードを中止する。これは、第１走査ユニット１２における原稿の読み取りを中止するものであり、原稿の搬送を中止するものではない。すなわち、走行読取モードを中止した後も、原稿は搬送されていることとなる。次に、制御部は、走行読取モードにおける原稿の読取を中止した第１走査ユニット１２を、静止読取モードにおける読取開始位置まで移動させる（Ｓ３４）。具体的には、本実施の形態では、走行読取モードと静止読取モードとにおける原稿を読み取る方向が同一方向である。従って、制御部は、静止読取モードにて読み取る原稿の位置に対して、上記第１走査ユニット１２を原稿搬送方向の下流側に移動させる。
【０１１６】
そして、制御部は、静止読取モードの読取位置まで原稿を搬送し、上記第１走査ユニット１２を動作させることにより、搬送されてきた原稿を静止させた状態で再度読み取る（Ｓ３５）。そして、Ｓ３２以下の処理を行えばよい。
【０１１７】
なお、Ｓ２９において、原稿画像判断部が、原稿に有彩色が含まれていないと判断した場合には、処理はＳ４０に進む。
【０１１８】
また、本実施の形態では、静止読取モードにて原稿の読み取りを開始する前に、上記第１走査ユニット１２を読取開始位置に移動させることにより、読み取りの時間を短縮した。しかし、上記以外にも読取時間を短縮させる方法がある。その１つとして、照明手段による、原稿への光の強度の調節がある。
【０１１９】
より高精度に原稿を読み取る場合には、原稿に照射する光の強度は、比較的、強いほうが好ましい。しかし、走行読取モードと静止読取モードとでは、一般に原稿に照射する光の強度（光量）が異なる。具体的には、走行読取モードで原稿を読み取る際に照射される光の強度は、静止読取モードで原稿を読み取る際に照射される光の強度よりも弱い。これは、静止読取モードでは、原稿を読み取る際、上記第１走査ユニット１２を固定した状態で読み取る。従って、画像読取装置の特定の部分のみが、局所的に温度上昇を引き起こすこととなる。局所的な温度上昇は、画像読取装置の故障の原因となる場合がある。従って、走行読取モードでは、原稿に照射する光の強度を、強くすることができない。
【０１２０】
一方、静止読取モードでは、原稿を静止させた状態で、上記第１走査ユニットを走査させて読み取るので、上記走行読取モードのような局所的な温度上昇は、発生し難い。従って、静止読取モードは、走行読取モードと比べて、原稿に照射する光の強度を強くすることができるので、より鮮明な（高精度の）画像情報を得ることができる。
【０１２１】
このように、静止読取モードと走行読取モードとでは、原稿に照射する光の強度が異なる。従って、静止読取モードでの読取時間を、より短縮するためには、静止読取モードで原稿を読み取り始める前に、該静止読取モードで原稿を読み取る際の、光の強度になるように照明手段を点灯すればよい。なお、該照明手段の点灯と上記第１走査ユニット１２の読取開始位置への移動とを両方行うことにより、より一層、静止読取モードでの読取時間を短縮することができる。また、制御部は、原稿画像判断部が、原稿に有彩色が含まれていると判断した時点で、静止読取モードに最適な光の強度となるように照明手段を制御しても良い。上記照明手段としては、具体的には、例えば、ランプ等が挙げられる。
【０１２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２３】
【発明の効果】
本発明の画像読取方法は、以上のように、原稿画像を第１読取モードで読み取る読取工程と、上記読取工程にて読み取られた画像情報を解析することにより、原稿画像に有彩色が含まれているか否かを判断する検出工程とを含み、上記原稿画像に有彩色が含まれていると判断された場合には、上記原稿画像をさらに第２読取モードで読み取る一方、原稿画像に有彩色が含まれていないと判断された場合には、上記第１読取モードにて読み取った画像情報を出力する構成である。
【０１２４】
それゆえ、例えば、カラー原稿と白黒原稿とが混在している場合でも、一般に読み取る割合の多い白黒原稿の読取時間を短縮することができる一方、カラーの原稿の読取を高精度で行うことができるという効果を奏する。
【０１２５】
本発明の画像読み取り方法は、さらに、上記第１読取モードでの原稿画像の読み取り中に、原稿画像に有彩色が含まれていることを検出した場合には、第１読取モードを中止するとともに、第２読取モードによる読み取りの準備動作を開始することがより好ましい。
【０１２６】
それゆえ、第１読取モードでの読み取りを中止して、第２読取モードによる読み取りの準備動作を行うことにより、第２読取モードでの原稿の読み取りを早く行うことができるので、原稿の読取時間を短縮することができるという効果を奏する。
【０１２７】
また、本発明の画像読み取り方法は、さらに、上記準備動作は、原稿画像を読み取る読取手段を、上記第２読取モードにおける読み取り開始位置に移動させることを含むことがより好ましい。
【０１２８】
それゆえ、読取手段を、第２読取モードでの原稿の読み取り開始位置に、予め移動させておくので、第２モードでの原稿の読み取り開始を早くすることができるとともに、カラー原稿の読取時間の短縮を図ることができる。
【０１２９】
本発明の画像読み取り方法は、さらに、上記準備動作は、原稿画像を第２読取モードで読み取るために必要な光の強度となるように、照明手段を点灯させることを含むことがより好ましい。
【０１３０】
それゆえ、第２読取モードでの原稿の読み取り前に照明手段を上記条件で点灯させることにより、早くかつ安定した（精度のよい）原稿の読み取りを行うことができる。
【０１３１】
本発明の画像読み取り方法は、さらに、上記第２読取モードでの原稿画像の読み取り方向が、上記第１読取モードにおける原稿画像の読み取り方向と同じ方向となるように、原稿画像の読み取りを行うことがより好ましい。
【０１３２】
それゆえ、何れか一方のモードで読み取った画像情報に、上記のような特別な処理を施すことなく、出力することが可能となるので、画像情報の処理が容易となる。
【０１３３】
本発明の画像読み取り方法は、さらに、上記第２読取モードでの原稿画像の読み取りでは、原稿画像を第２読取モードの読み取り開始位置まで原稿画像を搬送した後、上記原稿画像の搬送方向と同一の方向に、原稿画像を読み取る読取手段を走査させることにより、第２読取モードに移る際に上記読取手段を移動させずに済むので、例えば、１枚だけの原稿画像を読み取る場合には、読取時間を短縮することができる。
【０１３４】
本発明の画像読み取り方法は、さらに、上記第１読取モードで原稿画像を読み取り、さらに第２読取モードでも原稿画像を読み取った場合には第２読取モードで読み取った画像情報のみを出力することにより、余分な画像情報を出力することがない。
【０１３５】
本発明の画像読取装置は、以上のように、制御手段は、上記第１読取モードでの原稿画像の読み取りにて、上記検出手段が原稿画像に有彩色が含まれていると判断した場合には、上記原稿画像を第２読取モードで読み取るように上記読取手段を制御する一方、上記検出手段が原稿画像に有彩色が含まれていないと判断した場合には、上記第１読取モードにて読み取った画像情報を出力するように上記出力手段を制御するようになっている構成である。
【０１３６】
それゆえ、例えば、カラー原稿と白黒原稿とが混在している場合でも、一般に読み取る割合の多い白黒原稿の読取時間を短縮することができる一方、カラー原稿の読取を高精度で行うことができる画像読取装置を提供することができるという効果を奏する。
【０１３７】
本発明の画像読取装置は、さらに、上記読取手段は、原稿画像をＲ、Ｇ、Ｂの色成分に分解して読み取ることができるとともに、上記制御部は、読み取った画像情報を無彩色として出力する場合には、少なくとも１つの色成分の画像情報を選択して、出力するようになっていることにより、より簡単に白黒（無彩色）の画像情報（モノクロデータ）として出力することができる。
【０１３８】
本発明の画像読取装置は、さらに、上記読取手段は、原稿画像をライン毎に読み取ることができるとともに、さらに、読み取られたライン順の画像情報と逆のライン順の画像情報を出力する画像反転手段を備えていることにより、上記第１読取モードと第２読取モードとで出力される画像情報の向きを同じにすることができるので、例えば、上記画像読取装置に接続した機器にて画像情報の向きを合わせる処理をする必要がない。
【０１３９】
本発明の画像読取装置は、さらに、上記読取手段は原稿画像に光を照明する照明手段を備えており、上記制御手段は、第２読取モードで原稿画像を読み取る場合に比べて、第１読取モードで原稿画像を読み取る場合の方が、原稿画像に照射する光の強度を小さくするように照明手段を制御するようになっていることにより、局部的な温度上昇を少なくし、装置の故障や原稿台に手を触れた場合に火傷を負うこと等を防止することができる。
【図面の簡単な説明】
【図１】本発明の画像読取方法における処理を説明するフローチャートである。
【図２】本発明の画像読取装置の全体の構成を示す正面図である。
【図３】上記画像読取装置の構成を示すブロック図である。
【図４】原稿が搬送されてくる原稿搬送路の要部を示す、正面図である。
【図５】原稿が搬送されてくる原稿搬送路の要部を示す、正面図である。
【図６】本発明の他の画像読取方法における処理を説明するフローチャートである。
【符号の説明】
１０　　読取部（読取手段）
１１　　原稿台
１２　　第１走査ユニット（読取手段）
１３　　第２走査ユニット
１５　　ＣＣＤ
２２　　原稿トレイ
３２　　第１原稿搬送路
３５　　第２原稿搬送路
【図１】
2004032327.tif 000003
【図２】
2004032327.tif 000004
【図３】
2004032327.tif 000005
【図４】
2004032327.tif 000006
【図５】
2004032327.tif 000007
【図６】
2004032327.tif 000008